【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】
エステティックの被施術者の施術前後に於ける、目の周囲の体液循環の状態の変化を指標とすることを特徴とする、エステティックの施術の効果の評価法。
【請求項２】
前記目の周囲の体液循環の状態の変化が、エステティックの被施術者の目の周囲の皮膚表面の体温の変化及び／又は血液中の酸素の状態の変化であることを特徴とする、請求項１に記載のエステティックの施術の効果の評価法。
【請求項３】
前記目の周囲の体液循環の状態の変化が、エステティックの被施術者の目の周囲の皮膚表面の体温の変化、血流状態の変化、血液の酸素飽和度の変化、及び血液の酸素飽和インデックスの変化から選ばれる一種乃至は２種以上であることを特徴とする、請求項１又は２に記載のエステティックの施術の効果の評価法。
【請求項４】
エステティックの施術がデコルテへの施術であることを特徴とする、請求項１〜３の何れか１項に記載のエステティックの施術の効果の評価法。
【請求項５】
デコルテの施術部位が、鎖骨下、僧帽筋及び胸鎖乳突筋から選択される１、２乃至は３であることを特徴とする、請求項４に記載のエステティックの施術の効果の評価法。
【請求項６】
デコルテへの施術の目的が、静脈血、リンパ液、及び組織液から選ばれる一種乃至は二種以上の滞留改善であることを特徴とする、請求項４又は５に記載のエステティックの施術の効果の評価法。
【請求項７】
エステティックの施術効果が、くま、くすみ、たるみ、むくみ及びフェイスラインの形状の改善から選ばれる、一種乃至は二種以上であることを特徴とする、請求項１〜６の何れか１項に記載のエステティックの施術の効果の評価法。
【請求項８】
エステティックの被施術者の施術前後の目の周囲の体液循環の状態を測定した結果を目に見える形で表示することと、表示されたものをエステティックの施術者及び／又は被施術者へ提示することとを含む、エステティックの施術の効果の施術者及び／又は被施術者への提示方法。
【請求項９】
前記エステティックの被施術者の目の周囲の体液循環の状態が、エステティックの被施術者の目の周囲の皮膚表面の体温及び／又は血液中の酸素の状態であることを特徴とする、請求項８に記載のエステティックの施術の効果の施術者及び／又は被施術者への提示方法。
【請求項１０】
前記エステティックの被施術者の目の周囲の血液中の酸素の状態が、エステティックの被施術者の目の周囲のヘモグロビンの酸素飽和度、ヘモグロビン酸素飽和インデックス、ヘモグロビンの酸素の結合度、血中酸素量及び血中酸素分圧から選ばれる少なくとも１種以上の状態を含むことを特徴とする、請求項９に記載のエステティックの施術の効果の施術者及び／又は被施術者への提示方法。
【請求項１１】
前記エステティックの被施術者の施術前後の目の周囲の体液循環の状態を測定した結果を目に見える形で表示するとは、エステティックの被施術者の施術前の目の周囲の皮膚表面温度のサーモグラフィー像とエステティックの被施術者の施術後の目の周囲の皮膚表面温度のサーモグラフィー像を並べた比較図で表示することである、請求項８〜１０のいずれか１項に記載のエステティックの施術の効果の施術者及び／又は被施術者への提示方法。
【請求項１２】
前記エステティックの被施術者の施術前後の目の周囲の体液循環の状態を測定した結果を目に見える形で表示するとは、エステティックの被施術者の施術前の血液中の酸素飽和度の値とエステティックの被施術者の施術後の血液中の酸素飽和度の値を、棒グラフ若しくは折れ線グラフで表示すること、又はエステティックの被施術者の施術前のヘモグロビン酸素飽和インデックスとエステティックの被施術者の施術後のヘモグロビン酸素飽和インデックスの比較図で表示することである、請求項８〜１０のいずれか１項に記載のエステティックの施術の効果の施術者及び／又は被施術者への提示方法。
【請求項１３】
請求項８〜１２の何れか１項に記載のエステティックの施術の効果の施術者及び／又は被施術者への提示方法をエステティックの説明用の資料に載せ、エステティックの被施術者に、エステティックの施術前に該資料を用い、該エステティックの施術による効果の説明を行うことで、該エステティックの被施術者の施術効果を増強させる方法。
【手続補正２】
【補正対象書類名】明細書
【補正対象項目名】０００５
【補正方法】変更
【補正の内容】
【０００５】
【課題の解決手段】
この様な状況に鑑みて、本発明者らは、エステティックの施術の効果、取り分け、デコルテ部分に対する施術の効果を評価する方法を求めて、鋭意研究努力を重ねた結果、施術前後に於ける、目の周囲の体液循環の状態の変化を指標とすることにより、この様な評価が為しうることを見出し、発明を完成させるに至った。更に、それらの表示を提示することにより、被施術者にエステティックの施術の効果を正確に理解させ、以て、エステティックの施術の効果そのものを高めることを見出し、発明を発展させた。即ち、本発明は、以下に示す技術に関するものである。本発明で言うエステティックとは、被施術者と同一でない施術者が、手指などによって擦過、ツボ押しなどの行為を行うことを意味し、この時、摩擦係数を下げたり、温感を付与したりするための手段、例えば、マッサージ化粧料、温感付与化粧料、スチームなどが存在することも可能である。
（１）エステティックの被施術者の施術前後に於ける、目の周囲の体液循環の状態の変化を指標とすることを特徴とする、エステティックの施術の効果の評価法。
（２）目の周囲の体液循環の状態の変化が、エステティックの被施術者の目の周囲の皮膚表面の体温の変化及び／又は血液中の酸素の状態の変化であることを特徴とする、（１）
に記載のエステティックの施術の効果の評価法。
（３）目の周囲の体液循環の状態の変化が、エステティックの被施術者の目の周囲の皮膚表面の体温の変化、血流状態の変化、血液の酸素飽和度の変化、及び血液の酸素飽和インデックスの変化から選ばれる一種乃至は２種以上であることを特徴とする、（１）又は（２）に記載のエステティックの施術の効果の評価法。
（４）エステティックの施術がデコルテへの施術であることを特徴とする、（１）〜（３）の何れか１に記載のエステティックの施術の効果の評価法。
（５）デコルテの施術部位が、鎖骨下、僧帽筋及び胸鎖乳突筋から選択される１、２乃至は３であることを特徴とする、（４）に記載のエステティックの施術の効果の評価法。
（６）デコルテへの施術の目的が、静脈血、リンパ液、及び組織液から選ばれる一種乃至は二種以上の滞留改善であることを特徴とする、（４）又は（５）に記載のエステティックの施術の効果の評価法。
（７）エステティックの施術効果が、くま、くすみ、たるみ、むくみ及びフェイスラインの形状の改善から選ばれる、一種乃至は二種以上であることを特徴とする、（１）〜（６）の何れか１に記載のエステティックの施術の効果の評価法。
（８）エステティックの被施術者の施術前後の目の周囲の体液循環の状態を測定した結果を目に見える形で表示することと、表示されたものをエステティックの施術者及び／又は被施術者へ提示することとを含む、エステティックの施術の効果の施術者及び／又は被施術者への提示方法。
（９）エステティックの被施術者の目の周囲の体液循環の状態が、エステティックの被施術者の目の周囲の皮膚表面の体温及び／又は血液中の酸素の状態であることを特徴とする、（８）に記載のエステティックの施術の効果の施術者及び／又は被施術者への提示方法。
（１０）エステティックの被施術者の目の周囲の血液中の酸素の状態が、エステティックの被施術者の目の周囲のヘモグロビンの酸素飽和度、ヘモグロビン酸素飽和インデックス、ヘモグロビンの酸素の結合度、血中酸素量及び血中酸素分圧から選ばれる少なくとも１種以上の状態を含むことを特徴とする、（９）に記載のエステティックの施術の効果の施術者及び／又は被施術者への提示方法。
（１１）エステティックの被施術者の施術前後の目の周囲の体液循環の状態を測定した結果を目に見える形で表示するとは、エステティックの被施術者の施術前の目の周囲の皮膚表面温度のサーモグラフィー像とエステティックの被施術者の施術後の目の周囲の皮膚表面温度のサーモグラフィー像を並べた比較図で表示することである、（８）〜（１０）のいずれか１に記載のエステティックの施術の効果の施術者及び／又は被施術者への提示方法。
（１２）エステティックの被施術者の施術前後の目の周囲の体液循環の状態を測定した結果を目に見える形で表示するとは、エステティックの被施術者の施術前の血液中の酸素飽和度の値とエステティックの被施術者の施術後の血液中の酸素飽和度の値を、棒グラフ若しくは折れ線グラフで表示すること、又はエステティックの被施術者の施術前のヘモグロビン酸素飽和インデックスとエステティックの被施術者の施術後のヘモグロビン酸素飽和インデックスの比較図で表示することである、（８）〜（１０）のいずれか１に記載のエステティックの施術の効果の施術者及び／又は被施術者への提示方法。
（１３）（８）〜（１２）の何れか１に記載のエステティックの施術の効果の施術者及び／又は被施術者への提示方法をエステティックの説明用の資料に載せ、エステティックの被施術者に、エステティックの施術前に該資料を用い、該エステティックの施術による効果の説明を行うことで、該エステティックの被施術者の施術効果を増強させる方法。
【手続補正３】
【補正対象書類名】明細書
【補正対象項目名】０００９
【補正方法】変更
【補正の内容】
【０００９】
この様な、施術の効果を、目に見える形で表示することは、今まで、その効果が実感できなかったエステティックの施術の効果を、施術者にも、被施術者にも実感させることが出来る。これにより、施術による効果への信頼が高まり、それによって更に施術の効果が増強される。ここで、かかる目に見える形での表示の形態としては、表面温度の変化であれば、例えば、図２に示すように、施術前後のサーモグラフィー像を並べて示すことが好ましく例示できるし、ヘモグロビンの酸素飽和度や血流量の変化であれば、施術前後の値を棒グラフ乃至は折れ線グラフの様な形で示すことが好ましく例示できる。